(57)【特許請求の範囲】
【請求項１】
くの字状の柵棒（１）の屈曲部（ａ）に回動可能に取付けられ、常時、自重によって前記くの字状の柵棒（１）の上辺（ｂ）側に倒れ傾斜した姿勢を保持している柵棒（２）からなり、該柵棒（２）の下部に家畜が首部を押し当てると、該柵棒（２）が回動し、直立姿勢になるとともに、該柵棒（２）の回動がロックされるように構成されたスタンチョンであって、前記柵棒（２）が直立姿勢になったとき、該柵棒（２）の上端と対向する位置の中空パイプ状の柵本体の上部材（３）の下面に切欠部（４）を設け、前記上部材（３）の中空部に心棒（５）を回動可能に装着し、該心棒（５）の下端部に、ストッパ−片（６）を、前記切欠部（４）から下方へ突出するように固定し、前記柵棒（２）の上端部に、常時、自重によって、前記くの字状の柵棒（１）側へ傾斜した姿勢で静止する可動片（７）を回動可能に取付け、前記柵棒（２）が回動しながら直立姿勢になるとき、前記可動片（７）が、前記心棒（５）のストッパ−片（６）に当接しながら回動し、前記可動片（７）が前記ストッパ−片（６）を通過し終えると、前記可動片（７）が自重により元の姿勢に復帰することにより、前記柵棒（２）の逆方向への回動をセルフロックできるように構成していることを特徴とするスタンチョン
【請求項２】
柵棒（２）の上端部に、くの字状の柵棒（１）側に突出した舌状の板材（８）を固定し、該板材（８）に、可動片（７）を回動可能に取付け、前記柵棒（２）が回動し、直立姿勢になったとき、前記可動片（７）と対向する位置の中空パイプ状の柵本体の上部材（３）の下面に切欠部（４）を設け、前記上部材（３）の中空部に回転可能に装着した心棒（５）の下端部に、ストッパ−片（６）を、前記切欠部（４）から下方へ突出するように固定したことを特徴とする請求項１記載のスタンチョン
【発明の詳細な説明】
【技術分野】
【０００１】
本発明は、スタンチョンに関するものである。
【背景技術】
【０００２】
従来知られているスタンチョンは、図５に示すように、柵本体の上部材Ａと下部材Ｂに固定されたくの字状の柵棒ｃの屈曲部ａに、常時、自重によって、くの字状の柵棒ｃの上辺ｂ側に倒れ傾斜した姿勢を保持している柵棒ｄが回動可能に取り付けられ、柵棒ｄの上端部に、上部材Ａを跨いで、セルフロック金具Ｃが装着され、さらに、図示は省略したが、ロック解除用部材が、上部材Ａに併設された構造になっていたので、次のような問題点があった。
【０００３】
（１）セルフロック金具Ｃは上部材Ａから上方へ突出しているので、牛などの家畜がセルフロック金具Ｃに、首部を引っかけて怪我をする。
（２）セルフロック金具Ｃは上部材Ａを跨いでいるので、ロックが解除され、柵棒ｄが、自重によって、くの字状の柵棒ｃの上辺ｂ側に倒れ傾斜した姿勢に復帰するとき、セルフロック金具Ｃは上部材Ａに接触しながら移動するので、そのときの摩擦音が大きく、家畜を驚かせる。
（３）ロック解除用部材が、上部材Ａに併設されているので、上部材Ａの近辺が煩雑になる。
（４）時々、牛などの家畜が餌を食べながら、スタンチョンに首部を突っ込んだまま寝込むことがあり、この場合には、柵棒ｄのロック解除ができないため、セルフロック金具Ｃを取り外し、さらに柵棒ｄを取り外さなければならないので、取り外し作業が面倒であり、かつ時間がかかる。
【特許文献１】特開２００３−１０２３１０号公報
【発明の開示】
【発明が解決しようとする課題】
【０００４】
この発明は、背景技術で記述した問題点を解消するためになされたもので、柵本体の上部材から突出する部材が一切なく、また家畜がスタンチョンに首部を突っ込んだまま、寝込んだときには、回動可能な柵棒の取り外しだけでロックの解除ができるスタンチョンの提供を目的とするものである。
【課題を解決するための手段】
【０００５】
この発明のスタンチョンは、くの字状の柵棒の屈曲部に回動可能に取付けられ、常時、自重によって前記くの字状の柵棒の上辺側に倒れ傾斜した姿勢を保持している柵棒からなり、該柵棒の下部に家畜が首部を押し当てると、該柵棒が回動し、直立姿勢となるとともに、該柵棒の回動がロックされるように構成されたスタンチョンであって、前記柵棒が直立姿勢になったとき、該柵棒の上端と対向する位置の中空パイプ状の柵本体の上部材の下面に切欠部を設け、前記上部材の中空部に心棒を回動可能に装着し、該心棒の下端部に、ストッパ−片を、前記切欠部から下方へ突出するように固定し、前記柵棒の上端部に、常時、自重によって、前記くの字状の柵棒側へ傾斜した姿勢で静止する可動片を回動可能に取付け、前記柵棒が回動しながら直立姿勢になるとき、前記可動片が、前記心棒のストッパ−片に当接しながら回動し、前記可動片が前記ストッパ−片を通過し終えると、前記可動片が自重により元の姿勢に復帰することにより、前記柵棒の逆方向への回動をセルフロックできるように構成していることを特徴とするものである。
【０００６】
また、必要に応じて、柵棒の上端部に、くの字状の柵棒側に突出した舌状の板材を固定し、該板材に、可動片を回動可能に取付け、前記柵棒が回動し、直立姿勢になったとき、前記可動片と対向する位置の中空パイプ状の柵本体の上部材の下面に、切欠部を設け、前記上部材の中空部に回転可能に装着した心棒の下端部に、ストッパ−片を、前記切欠部から下方へ突出するように固定したことを特徴とするものである。
【発明の効果】
【０００７】
この発明は上述のように構成されているので、次のような効果を奏する。
（１）上部材の上方へ突出する部材が一切ないので、家畜の首部の怪我を防止できる。
（２）ロックが解除され、柵棒が、自重によって、直立姿勢に復帰するとき、柵棒と上部材との接触が一切ないので、従来のような摩擦音の発生を防止できる。
（３）ロック解除用部材である心棒は、上部材の中に収納されているので、上部材の近辺が煩雑にならない。
（４）家畜がスタンチョンに首部を突っ込んだまま、寝込んだときには、当該回動可能な柵棒を取り外すだけで、容易にロックの解除ができる。
（５）構造が簡単であり、組立も容易である。
【発明を実施するための最良の形態】
【０００８】
柵本体の上部材から突出する部材が一切なく、また家畜がスタンチョンに首部を突っ込んだまま、寝込んだときには、回動可能な柵棒の取り外しだけでロックの解除ができるスタンチョンの提供という目的を、くの字状の柵棒の屈曲部に回動可能に取付けた柵棒の上端部に設置した回動可能な可動片と柵本体の上部材の中空部に装着した心棒と、該心棒に固定し、前記切欠部から下方へ突出するストッパ−の採用により実現できた。
【実施例】
【０００９】
本発明の実施の一例を図面を参照しながら説明する。くの字状の柵棒１の屈曲部ａに回動可能に取付けられ、常時、自重によって、くの字状の柵棒１の上辺ｂ側に倒れ傾斜した姿勢を保持している柵棒２からなり、柵棒２の下部に家畜が首部を押し当てると、柵棒２が回動し、直立姿勢となるとともに、柵棒２の回動がロックされるように構成されたスタンチョンであって、図１に示すように、柵棒２が直立姿勢になったとき、柵棒２の上端と対向する位置の中空パイプ状の柵本体の上部材３の下面に切欠部４を設けている。
【００１０】
上部材３の中空部に心棒５を回動可能に装着し、心棒５の下端部に、図１に示すように、ストッパ−片６を、切欠部４から下方へ突出するように固定している。
【００１１】
なお、心棒６は、図示は省略したが、上部材３の両端部又は両端部と中間部に設置した軸受けに軸支され、図１に示すように、例えば、ハンドル９を回すと回転ができるようになっている。したがって、ストッパ−片６を、垂下の姿勢から水平の姿勢に変えるには、ハンドル９を９０度だけ回転すことにより実現できる。
【００１２】
柵棒２の上端部に、常時、自重によって、図１〜図２に示すように、くの字状の柵棒１側へ傾斜した姿勢で静止する可動片７を回動可能に取付けている。
【００１３】
例えば、図３において、柵棒２が左に回動しながら直立姿勢になるとき、可動片７が、心棒５のストッパ−片６に当接しながら回動し、可動片７がストッパ−片６を通過し終えると、可動片７が自重により元の姿勢に復帰することにより、柵棒２の右方向への回動をセルフロックできるように構成している。なお、本例では、柵棒２が左へ回動し直立姿勢になる例を示したが、柵棒２が右へ回動し直立姿勢になる場合についても同様の原理でセルフロックができる。
【００１４】
また、柵棒２の上端部に、図４に示すように、くの字状の柵棒１側に突出した舌状の板材８を固定し、板材８に、可動片７を回動可能に取付け、柵棒２が回動し、直立姿勢になったとき、可動片７と対向する位置の中空パイプ状の柵本体の上部材３の下面に切欠部４を設け、上部材３の中空部に回転可能に装着した心棒５の下端部に、ストッパ−片６を、切欠部４から下方へ突出するように固定してもよい。
【００１５】
この場合には、柵棒２がくの字状の柵棒１の上辺ｂ側に倒れ傾斜した姿勢のときでも、ストッパ−片６を、図４に示すように、板材８で隠蔽させることができるので、ストッパ−片６による家畜の怪我を有効に防止できる。なお、図４において、１０は、柵棒２の逆方向への回動を拘束するストッパ−、１１は、柵棒２の傾斜姿勢を決めるための受けである。
【００１６】
なお、ロックの解除は、ハンドル９を回転し、ストッパ−片６を可動片７から外すことにより実現できる。ロックを解除したのちには、ハンドル９を回転し、ストッパ−片６を元の垂下の姿勢に戻しておけば、セルフロック待機の状態になる。
【産業上の利用可能性】
【００１７】
構造が簡単で、組立も容易であり、かつ経済的であるので、小規模な酪農家のスタンチョンとしても利用が可能である。
【図面の簡単な説明】
【００１８】
【図１】本発明の実施の一例を示す正面図
【図２】可動片の取付状態に一例を示す拡大斜視図
【図３】ロックされる過程を示す説明図
【図４】本発明の別の実施の一例を示す正面図
【図５】従来の実施例を示す正面図
【符号の説明】
【００１９】
１ くの字状の柵棒
２ 柵棒
３ 中空パイプ状の柵本体の上部材
４ 切欠部
５ 心棒
６ ストッパ−片
７ 可動片
８ 板材
９ ハンドル
１０ ストッパ−
１１ 受け
Ａ 上部材
Ｂ 下部材
Ｃ セルフロック金具
ａ くの字状の柵棒の屈曲部
ｂ くの字状の柵棒の上辺
ｃ くの字状の柵棒
ｄ 柵棒
【要約】
【課題】柵本体の上部材から突出する部材が一切なく、また家畜がスタンチョンに首部を突っ込んだまま、寝込んだときには、回動可能な柵棒の取り外しだけでロックを解除ができるスタンチョンの提供
【解決手段】本発明のスタンチョンは、柵棒２が直立姿勢になったとき、柵棒２の上端と対向する位置の中空パイプ状の上部材３の下面に切欠部４を設け、上部材３の中空部に心棒５を回動可能に装着し、心棒５の下端部に、ストッパ−片６を、切欠部４から下方へ突出するように固定し、柵棒２の上端部に、常時、自重によって、くの字状の柵棒１側へ傾斜した姿勢で静止する可動片７を回動可能に取付け、柵棒２が回動しながら直立姿勢になるとき、可動片７が、心棒５のストッパ−片６に当接しながら回動し、可動片７がストッパ−片６を通過し終えると、可動片７が自重により元の姿勢に復帰することにより、柵棒２の逆方向への回動をセルフロックできるように構成している。
【選択図】 図１
【図１】
0003548174.tif 000002
【図２】
0003548174.tif 000003
【図３】
0003548174.tif 000004
【図４】
0003548174.tif 000005
【図５】
0003548174.tif 000006